(57)【特許請求の範囲】
【請求項１】
フレーム内に収容されるモータによって回転駆動されるロータと、該ロータを収容する回転室とを有し、更に該回転室を冷却するための冷媒を圧縮する圧縮機と、該冷媒を冷却する凝縮器と、該凝縮器を冷却する凝縮器冷却用ファンとから構成される冷却装置を備えた遠心分離機において、前記フレーム内に設けた風路案内口を有する仕切部材により分割された第１収容部に前記圧縮機及び前記凝縮器を配置し、更に該第１収容部に連通し且つその上方に位置する第２収容部に前記凝縮器冷却用ファンを配置することを特徴とした遠心分離機。
【請求項２】
前記凝縮器冷却用ファンと前記圧縮機または前記凝縮器の間に配した前記仕切部材の下方から上方に風が流れるよう前記凝縮器冷却用ファンを配すことを特徴とした請求項１記載の遠心分離機。
【発明の詳細な説明】
【０００１】
【発明の属する技術分野】
本発明は、回転室内にてロータが高速回転する際に生じる発熱により、ロータ内の試料が変成しないようにロータを冷却する装置を備えた遠心分離機に関するものである。
【０００２】
【従来の技術】
従来の遠心分離機は、回転室内にてロータが高速回転する際に生じる発熱により、ロータ内の試料が変成しないように冷媒等を用いてロータを冷却する装置を有している。この冷却装置は、蒸発器となるロータ室の外周部に銅パイプ等を密着させながら巻き付け、その銅パイプ内に冷媒を流してロータ室の壁面から内部を冷却し、更にはロータ室に収納されるロータを冷却している。上記冷媒は、圧縮機で圧縮された後、凝縮器に送られ凝縮器冷却用ファンにて冷却、液化され蒸発器となるロータ室外周の銅パイプに入る直前でキャピラリーチューブ等で断熱膨張し気化し熱を奪い、気化した冷媒は、再び圧縮機に戻り同様のサイクルを繰り返しながらロータを冷却している。冷却装置は、図２に示すように圧縮機のほぼ同一面に凝縮器と凝縮器冷却用ファンを隣接して配されており、凝縮器冷却用ファンの吸入部は、遠心分離機正面下部または正面底部から外気を取り込み凝縮器を冷却したり、または図３に示すように遠心分離機背面下部を吸入部として外気を取り込み、背面上部を排気部としている。
【０００３】
上記のように凝縮器冷却用ファンを凝縮器に隣接して配置するのには、いくつか理由がある。その理由として、凝縮器をより冷却する手段として、凝縮器全体に風が流れるよう、また凝縮器を通過しないで直接凝縮器冷却用ファンに風が回り込まぬようファンの案内部品をつける。凝縮器冷却用ファンが凝縮器に近すぎるとファンの騒音が増大するため、ファンの案内部品が大きくならない範囲で一定以上の距離を設け配置する。当然、案内部品を無駄なく製作するため、凝縮器冷却用ファンは凝縮器に隣接するかたちとなる。また、冷却装置は圧縮機、凝縮器および凝縮器冷却用ファンを一枚のベース板に載せてまとめたユニット部品になっていることが多く、ユニット部品の製作都合上、凝縮器冷却用ファンは凝縮器および圧縮機の近傍に配置されている。よって、機本の寸法は、上記ユニットにより決定されていた。
【０００４】
【発明が解決しようとする課題】
圧縮器、凝縮機、凝縮器冷却用ファン及び冷媒を循環させるための配管から構成される冷却装置は、凝縮器冷却用ファンの風路抵抗にならぬよう各部品との間に余白空間を設ける必要があり、遠心分離機内に占める容積がどうしても大きくなってしまうという問題があった。これにより、近年顧客から要求の強い遠心分離機の小形、省スペース化の阻害要因の一つになっていた。
【０００５】
また、小形化を図るため、遠心機本体内を２段に仕切り、凝縮器とファンを上段に、圧縮機を下段に配することも提案されているが、凝縮器と圧縮機を仕切りを介して接続する必要があるため、小形化を図ることができるがその反面、組立作業が複雑になってしまうという問題があった。
【０００６】
本発明の目的は、上記問題を解消し、冷却装置を遠心分離機の機体内にコンパクトに収容することにより、組立作業及び保守性に優れた遠心分離機を提供することである。
【０００７】
【課題を解決するための手段】
上記目的は、冷却装置の構成品のうち、銅パイプ等で配管する部品を１ユニットとし、更にファンを別ユニットとすることで、フレーム内に設けた仕切部材により分割された第１収容部に圧縮機及び凝縮器を配置し、更に第１収容部の上方に位置する第２収容部に凝縮器冷却用ファンを配置することにより達成される。
【０００８】
【発明の実施の形態】
本実施例における遠心分離機を図１を用いて説明する。図１は遠心分離機の一実施例を示す一部縦断側面図である。遠心分離機は、分離するための試料を収容するロータ１と、ロータ１を回転駆動するモータ２と、ロータ１を収納し且つ高速回転により発熱するロータ１を冷却するためのロータ室３と、ロータ室３を封じるドア４と、遠心分離機のケーシングとなるフレーム５と、遠心分離機を制御する制御部６とから構成されている。ロータ室３の外周にはロータ１を冷却するための冷媒の流れるパイプ７が巻かれており、この冷媒は圧縮機８で圧縮され、凝縮器９で圧縮ガスを冷却、液化させ、キャピラリーチューブ１３を通して、ロータ室３外周のパイプ内で蒸発させ、再び圧縮機８に戻るといったサイクルの中で繰り返し用いられている。凝縮器９での冷却には、凝縮器冷却用ファン１０を使用しており、凝縮器９内を外気が通過することで冷却している。
【０００９】
また、本実施例においては、仕切部材１１によりフレーム５内を２段に仕切っており、この仕切部材１１により形成される第２収容部（上段）に凝縮器冷却用ファン１０を配置し、更に第２収容部の下方に位置する第１収容部（下段）に圧縮機８及び凝縮器９を配置している。これにより、下段から外気を取り込み、フレーム５の上段から排気している。更にフレーム５の上段と下段を仕切る仕切部材１１（フレーム中段板）には、凝縮器冷却用ファン１０の風を通す風路案内口１２が設けられており、凝縮器８を通った空気がスムーズに上方に位置する凝縮器冷却用ファン１０に流れるようにしている。なお、一度凝縮器８を通過して暖まった空気が再び凝縮器８内を通過しないように凝縮器冷却用ファン１０の排気風が上方に向くよう、ファンは斜め上方に向け配置されている。
【００１０】
以上のことから、銅パイプ等で配管される圧縮機８、凝縮器９は一体化して下段に配置することができ、配管のないファン１０等は上段に配置することができるため、配管作業性を損なうことなく、本体の小形化を図ることができるため、遠心分離機の設置面積を小さくすることができる。また、凝縮器９を通過する風は、本体外側から入るため、ほこりやごみが凝縮器９に付着するが遠心分離機の外側から容易に掃除できるよう構成されている。
【００１１】
【発明の効果】
本発明によれば、フレーム内に設けた仕切部材により分割された第１収容部に圧縮機及び凝縮器を配置し、更に第１収容部の上方に位置する第２収容部に凝縮器冷却用ファンを配置することで、組立作業性及び保守性に優れたコンパクトな遠心分離機を提供することができる。
【図面の簡単な説明】
【図１】本発明になる遠心分離機の一実施例を示す一部縦断側面図である。
【図２】従来における遠心分離機を示す一部縦断側面図である。
【図３】従来における遠心分離機を示す一部縦断側面図である。
【符号の説明】
１はロータ、２はモータ、３はロータ室、４はドア、５はフレーム、６は制御部、７はパイプ、８は圧縮機、９は凝縮器、１０は凝縮器冷却用ファン、１１は仕切部材、１２は風路案内口、１３はキャピラリーチューブである。
【図１】
0003596306.tif 000002
【図２】
0003596306.tif 000003
【図３】
0003596306.tif 000004